(57)【要約】  熱画像媒体を処理するためのドラム１０は、回転軸と直交して広がっており、内部コアを閉塞する第１および第２の端板１２を有する。軸に沿った第１および第２の内部仕切り２０は、第１の仕切り２０と第１の端板１２との間の第１の端部区域、第２の仕切り２０と第２の端板１２との間の第２の端部区域、ならびに第１および第２の仕切り２０の間の中央区域３０ｂを画定する。各内部仕切り２０は、軸方向において、仕切り２０から外方に延びたスリーブ部分２１０を有する。第１のランプヒータ１９２は軸と平行に、１つ以上のスリーブ部分２１０を貫いて延びており、第１の端部区域内の第１のフィラメント、および第２の端部区域内の第２のフィラメントを有する。第２のランプヒータ１９２は軸と平行に、１つ以上のスリーブ部分２１０を貫いて延びており、中央区域３０ｂ内の中心フィラメントを有する。
2021508916.tif 000002
【特許請求の範囲】
【請求項１】
熱画像媒体を処理するための円筒形ドラムであって、前記ドラムが回転軸を有し、
前記回転軸と直交して各々広がっており、前記ドラムの内部コアを閉塞する第１および第２の端板と、
前記回転軸に沿って配置された第１および第２の内部仕切りであって、前記第１の仕切りと前記第１の端板との間にある前記内部コア内の第１の端部区域、前記第２の仕切りと前記第２の端板との間にある前記内部コア内の第２の端部区域、ならびに前記第１の仕切りと前記第２の仕切りとの間にある前記内部コア内の中央区域を画定し、前記内部仕切りの各々が、軸方向において、前記仕切りから外方に延びた複数のスリーブ部分を有する、第１および第２の内部仕切りと、
前記軸と平行に、１つ以上のスリーブ部分を貫いて延びている第１のランプヒータであって、前記第１の端部区域内に配置された第１のフィラメント、および前記第２の端部区域内に配置された第２のフィラメントを有する第１のランプヒータと、
前記軸と平行に、１つ以上のスリーブ部分を貫いて延びている第２のランプヒータであって、前記中央区域内に配置された中心フィラメントを有する第２のランプヒータと、
を備えることを特徴とするドラム。
【請求項２】
請求項１に記載のドラムであって、前記第１および第２のフィラメントのうちの一方の一部分が前記中央区域内へ延びていることを特徴とするドラム。
【請求項３】
請求項１に記載のドラムであって、前記中心フィラメントの一部分が前記第１の端部区域または前記第２の端部区域内へ延びていることを特徴とするドラム。
【請求項４】
請求項１に記載のドラムであって、前記スリーブ部分のうちの１つ以上が円錐形であることを特徴とするドラム。
【請求項５】
請求項１に記載のドラムであって、前記第１の内部仕切りの前記スリーブ部分のうちの少なくとも１つが前記仕切りの一体部分として形成されていることを特徴とするドラム。
【請求項６】
請求項１に記載のドラムであって、前記第１の内部仕切りの前記スリーブ部分のうちの少なくとも１つが前記ドラムの中央に向かって延びており、前記第１の内部仕切りの前記スリーブ部分のうちの別のものが前記第１の端板に向かって延びていることを特徴とするドラム。
【請求項７】
請求項１に記載のドラムであって、前記スリーブ部分のうちの少なくとも１つが、前記第１のフィラメントと前記中心フィラメントとが前記回転軸に対して重なり合う領域内に配置されていることを特徴とするドラム。
【請求項８】
請求項１に記載のドラムであって、前記第１の内部仕切りの前記スリーブ部分のうちの少なくとも１つが、前記仕切りとは異なる材料で形成されていることを特徴とするドラム。
【請求項９】
請求項１に記載のドラムであって、前記第１の内部仕切りの前記スリーブ部分のうちの少なくとも１つが円筒形であることを特徴とするドラム。
【請求項１０】
請求項１に記載のドラムを備える、現像温度を有する画像形成媒体内の画像を熱現像するための熱処理装置であって、前記画像形成媒体を輸送経路に沿って移動させ、第１の温度における前記画像形成媒体を受け取り、前記画像形成媒体を前記第１の温度よりも高い第２の温度に加熱するように構成されていることを特徴とする熱処理装置。
【請求項１１】
現像温度を有する画像形成媒体内の画像を熱現像するためのドラムであって、
２つのランプヒータであって、各ヒータが前記ドラムの軸に沿った方向に位置付けられており、一方のヒータが中心フィラメントを含み、他方のヒータが２つの端部／区域フィラメントを含む、２つのランプヒータと、
前記ドラムの前記軸と実質的に垂直に、前記ドラムの前記軸に沿って配置された第１の仕切りであって、前記第１の仕切りが、前記ドラムの前記軸に沿った第１の方向に延びた第１の円錐形部分を含む、第１の仕切りと、
を備えることを特徴とするドラム。
【請求項１２】
請求項１１に記載のドラムであって、前記第１の仕切りおよび前記第１の円錐形部分が第１の開口部を含み、これにより、１つのヒータがそれを貫いて配置されていることを特徴とするドラム。
【請求項１３】
請求項１１に記載のドラムであって、前記第１の仕切りが、前記第１の方向と反対の、前記ドラムの前記軸に沿った第２の方向に延びた第２の円錐形部分をさらに含むことを特徴とするドラム。
【請求項１４】
請求項１１に記載のドラムであって、前記第１の仕切りが、前記中心フィラメントと前記端部フィラメントのうちの１つとの重なり領域内に配置されていることを特徴とするドラム。
【請求項１５】
請求項１１に記載のドラムであって、前記第１の仕切りから離間されて前記ドラムの前記軸に沿って配置された第２の仕切りをさらに備え、前記第２の仕切りが、前記第１の方向と反対の、前記ドラムの前記軸に沿った第２の方向に延びた第１の円錐形部分を含むことを特徴とするドラム。
【請求項１６】
請求項１５に記載のドラムであって、
前記ドラムの前記軸に沿った前記第２の方向に延びた第２の円錐形部分を含む前記第１の仕切りと、
前記ドラムの前記軸に沿った前記第１の方向に延びた第２の円錐形部分を含む前記第２の仕切りと、
をさらに備えることを特徴とするドラム。
【請求項１７】
請求項１５に記載のドラムであって、前記第１の仕切りが前記中心フィラメントと前記端部フィラメントのうちの一方との重なり領域内に配置されており、前記第２の仕切りが前記中心フィラメントと前記端部フィラメントのうちの他方との重なり領域内に配置されていることを特徴とするドラム。
【請求項１８】
現像温度を有する画像形成媒体内の画像を熱現像するためのドラムであって、
２つのランプヒータであって、各ヒータが前記ドラムの軸に沿った方向に位置付けられており、一方のヒータが中心フィラメントを含み、他方のヒータが２つの端部／区域フィラメントを含む、２つのランプヒータと、
前記ドラムの前記軸と実質的に垂直に、前記ドラムの前記軸に沿って配置された第１の仕切りであって、前記第１の仕切りが、前記ドラムの前記軸に沿った第１の方向に延びた第１の円錐形部分を含む、第１の仕切りと、
前記ドラムの前記軸と実質的に垂直に、前記ドラムの前記軸に沿って配置された第２の仕切りであって、前記第１の仕切りが、前記ドラムの前記軸に沿った第１の方向に延びた第２の円錐形部分を含む、第２の仕切りと、
を備えることを特徴とするドラム。
【請求項１９】
現像温度を有する画像形成媒体内の画像を熱現像するためのドラムであって、
前記ドラムの第１および第２の端部区域内に配置された第１のランプヒータと、
前記ドラムの中心区域内に配置された第２のランプであって、前記中心区域が前記第１の端部区域と前記第２の端部区域の中間に位置し、前記２つのランプの各々が、前記ドラムの軸に沿った方向に位置付けられている、第２のランプと、
前記ドラムの前記軸に沿って配置されており、前記第１の端部区域と前記中心区域との間の移行領域に、またはその内部に位置付けられた第１の仕切りであって、前記第１の仕切りが、前記ドラムの前記軸に沿った第１の方向に延びた円錐形部分を含む、第１の仕切りと、
前記ドラムの前記軸に沿って配置されており、前記第２の端部区域と前記中心区域との間の移行領域に、またはその内部に位置付けられた第２の仕切りであって、前記第２の仕切りが、前記第１の方向と反対の、前記ドラムの前記軸に沿った第２の方向に延びた円錐形部分を含む、第２の仕切りと、
を備えることを特徴とするドラム。
【請求項２０】
請求項１９に記載のドラムであって、
前記ドラムの前記軸に沿った前記第２の方向に延びた別の円錐形部分を含む前記第１の仕切りと、
前記ドラムの前記軸に沿った前記第１の方向に延びた別の円錐形部分を含む前記第２の仕切りと、
をさらに備えることを特徴とするドラム。
【請求項２１】
熱画像媒体を処理するための円筒形ドラムであって、前記ドラムが回転軸を有し、
前記回転軸と直交して各々広がっており、前記ドラムの内部コアを閉塞する第１および第２の端板と、
各々前記コア内にあり、前記回転軸の方向に各々延びた第１、第２、および第３のランプヒータであって、前記第１のランプヒータが前記コア内の第１の加熱区域を加熱し、前記第２のランプヒータが前記コア内の第２の加熱区域を加熱し、前記第３のランプヒータが前記コア内の第３の加熱区域を加熱する、第１、第２、および第３のランプヒータと、
前記コア内の前記第１の加熱区域と前記第２の加熱区域との間の境界を規定する少なくとも１つの仕切りであって、前記仕切りが前記回転軸と直交して広がっている、少なくとも１つの仕切りと、
を備えることを特徴とするドラム。
【請求項２２】
請求項２１に記載のドラムであって、前記第１のランプヒータが前記第１の加熱区域内の熱の大部分を提供することを特徴とするドラム。
【請求項２３】
請求項２１に記載のドラムであって、前記ランプヒータのうちの少なくとも１つが、フィラメントの通電部分および非通電部分の両方を有することを特徴とするドラム。
【請求項２４】
請求項２１に記載のドラムであって、前記ドラムが、前記処理される熱画像媒体の温度を上昇させるように構成されていることを特徴とするドラム。
【請求項２５】
熱画像媒体を処理するための円筒形ドラムであって、前記ドラムが回転軸を有し、
前記回転軸と直交して各々広がっており、前記ドラムの内部コアを閉塞する第１および第２の端板と、
前記回転軸に沿って配置された第１および第２の内部仕切りであって、前記第１の仕切りと前記第１の端板との間にある前記内部コア内の第１の区域、前記第２の仕切りと前記第２の端板との間にある前記内部コア内の第２の区域、ならびに前記第１の仕切りと前記第２の仕切りとの間にある前記内部コア内の中央区域を画定する、第１および第２の内部仕切りと、
前記第１の区域内に位置付けられた第１のランプヒータと、
前記第２の区域内に位置付けられた第２のランプヒータと、
前記中央区域内に位置付けられた第３のランプヒータと、
前記第１、第２、および第３のランプヒータに独立して通電するように構成されたヒータ制御装置と、
を備えることを特徴とするドラム。
【請求項２６】
請求項２５に記載のドラムであって、前記第２のランプヒータが、通電されないフィラメントの１つ以上の部分を含むことを特徴とするドラム。
【発明の詳細な説明】
【技術分野】
【０００１】
本開示は概して、画像形成材料を処理するための装置および方法に関し、より詳細には、少なくとも１つのドラム熱処理装置を用いて画像形成材料を熱現像するための装置および方法に関する。
【背景技術】
【０００２】
光熱写真フィルムおよびそのようなフィルムの熱処理が知られている。例えば、米国特許第９１９５１８５号（ストラブル（Ｓｔｒｕｂｌｅ））および米国特許第７３１７４６８号（ストラブル（Ｓｔｒｕｂｌｅ））を参照されたい。両特許はその全体を本願に援用する。
【０００３】
全体を本願に引用して援用する、米国特許出願公開第２００６／０２８９４１８号（コニシ（Ｋｏｎｉｓｈｉ））が参照される。コニシ（Ｋｏｎｉｓｈｉ）は、赤外線ランプ、加熱デバイス、および電子デバイスに関する。
【０００４】
光熱写真フィルムは、通例、少なくとも一方の側が感光性および感熱性材料のエマルションでコーティングされた、ポリマーなどの、薄いベース材料を含む。フィルムが、レーザイメージャを介するなどして、エマルション中で潜像を形成するための光刺激を受けた後に、例えば、フィルムへの熱の印加を通じて潜像から画像を現像するための熱処理装置が用いられる。通例、熱処理装置は、ベース材料およびエマルションを、エマルションの化学反応が最適な速度で起きる最適な現像温度まで上昇させる。その後、熱処理装置は、潜像から画像を現像するために必要とされる現像所要時間にわたってフィルムを最適な現像温度に維持する。
【０００５】
１つの種類の熱処理装置はドラム処理装置である。ドラム処理装置は、通例、ドラムの表面のセグメントの周りに位置付けられた一連のローラを有する回転加熱ドラムを用いる。このようなローラは、時として、「加圧ローラ」と呼ばれ、ドラムに対して付勢される。現像の最中には、熱がドラムから光熱写真フィルムへ効率的かつ均質に伝達されるよう、加圧ローラが写真フィルムをドラムに押し付けて保持した状態で、ドラムの回転により光熱写真フィルムが加圧ローラとドラムとの間で送られる。
【０００６】
媒体スループット（すなわち、所与の期間内に処理することができる画像形成媒体の量）を改善するために、熱処理装置は、通例、光熱写真フィルムの温度を現像温度までできるだけ急速に上昇させる。いくつかの種類の熱処理装置はまた、エマルション中の化学反応が正しく進行することを確実にするためにも（例えば、均一な現像および全範囲の光学濃度を確実にするためにも）、温度を現像温度まで急速に上昇させる。フィルムがどれほど急速に現像温度に達するのか、また、光熱写真フィルムの現像所要時間および熱処理装置の所望のスループットをどれだけ短くするかは、ドラムのサイズ（すなわち、直径）に依存する。所与の現像温度および所与の現像所要時間を有する所与の種類の光熱写真フィルムのためのスループットの増大を達成することは、通例、ドラムの直径の増大を必要とする。
【先行技術文献】
【特許文献】
【０００７】
【特許文献１】米国特許第９１９５１８５号明細書
【特許文献２】米国特許第７３１７４６８号明細書
【特許文献３】米国特許出願公開第２００６／０２８９４１８号明細書
【特許文献４】米国特許出願公開第２０１３／０１０８３００号明細書
【発明の概要】
【発明が解決しようとする課題】
【０００８】
フィルムスループットを犠牲にすることなく光熱写真フィルムの十分な、効率的な、および／または適切な加熱をもたらすための熱処理装置が必要とされている。
【課題を解決するための手段】
【０００９】
本明細書において説明される特定の実施形態は、フィルムスループットを犠牲にすることなく光熱写真フィルムの十分な、効率的な、および／または適切な加熱をもたらすための熱処理装置の必要性に対処する。関心の対象は、フィルム処理の最中に熱ドラムまたはローラの均一な表面温度を維持することである。
【００１０】
これらの態様は単なる説明のための例として与えられているにすぎず、このような目的は本発明の１つ以上の実施形態の例示であり得る。本開示の発明によって固有に達成される他の好ましい目的および利点も、当業者が想到するか、または当業者に明らかになり得る。本発明は添付の請求項によって規定される。
【００１１】
本開示の一態様によれば、熱画像媒体を処理するための円筒形ドラムであって、ドラムが回転軸を有し、回転軸と直交して各々広がっており、ドラムの内部コアを閉塞する第１および第２の端板と、回転軸に沿って配置された第１および第２の内部仕切りであって、第１の仕切りと第１の端板との間にある内部コア内の第１の端部区域、第２の仕切りと第２の端板との間にある内部コア内の第２の端部区域、ならびに第１の仕切りと第２の仕切りとの間にある内部コア内の中央区域を画定し、内部仕切りの各々が、軸方向において、仕切りから外方に延びた複数のスリーブ部分を有する、第１および第２の内部仕切りと、軸と平行に、１つ以上のスリーブ部分を貫いて延びている第１のランプヒータであって、第１の端部区域内に配置された第１のフィラメント、および第２の端部区域内に配置された第２のフィラメントを有する第１のランプヒータと、軸と平行に、１つ以上のスリーブ部分を貫いて延びている第２のランプヒータであって、中央区域内に配置された中心フィラメントを有する第２のランプヒータと、を備えることを特徴とするドラムが提供される。
【００１２】
本開示の一態様によれば、熱画像媒体を処理するための円筒形ドラムであって、ドラムが回転軸を有し、回転軸と直交して各々広がっており、ドラムの内部コアを閉塞する第１および第２の端板と、各々コア内にあり、回転軸の方向に各々延びた第１、第２、および第３のランプヒータであって、第１のランプヒータがコア内の第１の加熱区域を加熱し、第２のランプヒータがコア内の第２の加熱区域を加熱し、第３のランプヒータがコア内の第３の加熱区域を加熱する、第１、第２、および第３のランプヒータと、コア内の第１の加熱区域と第２の加熱区域との間の境界を規定する少なくとも１つの仕切りであって、仕切りが回転軸と直交して広がっている、少なくとも１つの仕切りと、を備えることを特徴とするドラムが提供される。
【００１３】
本発明の上述の、および他の目的、特徴、および利点は、添付の図面に示されるとおりの、本発明の諸実施形態の以下のより具体的な説明から明らかになるであろう。図面の要素は必ずしも互いに対して原寸に比例しているとはかぎらない。
【図面の簡単な説明】
【００１４】
【図１】３つのランプヒータを有する本開示に係るドラムを示す図である。
【図２Ａ】３つのランプヒータと、３つの加熱区域と、２つの仕切りとを有する本開示に係るドラムを示す図である。
【図２Ｂ】３つのランプヒータと、３つの加熱区域と、２つの仕切りとを有する本開示に係るドラムを示す図である。
【図３】３つのランプヒータと３つの加熱区域とを有する本開示に係るドラムを示す図である。
【図４】内部ドラムコアの端面図を示す図である。
【図５】３つのランプヒータを有する本開示に係るドラムの部分を示す図である。
【図６】熱シールドの図、構成、および態様を示す図である。
【図７】熱シールドの図、構成、および態様を示す図である。
【図８】熱シールドの図、構成、および態様を示す図である。
【図９】駆動側熱シールドおよび仕切りのランプ原型組立体を示す図である。
【図１０】非駆動側仕切りのランプ原型組立体を示す図である。
【図１１】本開示の少なくとも１つの実施形態に係る例示的な端部区域ランプを示す図である。
【図１２】ドラムの端部区域のエリア内の複数の端部区域ランプの配置を示す図である。
【図１３】ソケット内に装着された端部区域ランプを示す図である。図示のように、反射器がソケットの周りに装着されている。
【図１４】ソケットを使用するダイカスト端板として示される、装着のための１つの構成を示す図である。
【図１５】ドラムの各端板に１つずつの、サーモスタットの装着を示す図である。
【図１６】ベースワイヤ上で支持されたランプを示す図である。
【図１７】ベースワイヤ上で支持されたランプを示す図である。
【図１８】各端部区域内に配置された複数のランプを有する組立体を示す図である。
【図１９】２つのランプが用いられるさらなる構成を示す図である。
【図２０】重なり領域内の仕切りを示す、図１９の構成の部分を示す図である。
【図２１】円錐形スリーブ部分を有する仕切りを示す図である。
【図２２】重なり領域に／その付近に／その内部に配置された２つの仕切りを有する２ランプ構成の側面図を示す。
【図２３】重なり領域に／その付近に／その内部に配置された２つの仕切りを有する別の２ランプ構成の側面図を示す。
【図２４】１つの仕切りに取り付けられた２つの円錐形スリーブ部分の等角図を示す。
【図２５】図２４の側面図を示す。
【図２６Ａ】２つの円錐形スリーブ部分を各々含む、２つの仕切りを有する例示的な実施形態を示す図である。
【図２６Ｂ】２つの円錐形スリーブ部分を各々含む、２つの仕切りを有する例示的な実施形態を示す図である。
【図２７】図２６Ａの例示的な寸法情報を示す図である。
【図２８】図２６Ａの例示的な寸法情報を示す図である。
【図２９】２つの円錐形スリーブ部分を各々含む、２つの仕切りを有する別の例示的な実施形態を示す図である。
【図３０】図２９の例示的な寸法情報を示す図である。
【図３１】２つの円錐形スリーブ部分を各々含む、２つの仕切りを有するさらに別の例示的な実施形態を示す図である。
【図３２】図３１の例示的な寸法情報を示す図である。
【図３３】仕切りおよび／またはランプ器具／組立体の様々な構成要素を示す図である。
【図３４】仕切りおよび／またはランプ器具／組立体の様々な構成要素を示す図である。
【図３５】仕切りおよび／またはランプ器具／組立体の様々な構成要素を示す図である。
【図３６】仕切りおよび／またはランプ器具／組立体の様々な構成要素を示す図である。
【図３７】ドラム上で処理されたフィルム／媒体のためのクロスウェブ（ｃｒｏｓｓｗｅｂ）密度の実験結果を示す図である。
【図３８】ドラム上で処理されたフィルム／媒体のためのクロスウェブ（ｃｒｏｓｓｗｅｂ）密度の実験結果を示す図である。
【図３９】本開示の一実施形態に係るランプヒータの通電サイクルを制御する熱制御論理プロセッサの機能を示す概略図である。
【発明を実施するための形態】
【００１５】
本出願は、ケント・Ｒ・ストラブル（Ｋｅｎｔ  Ｒ．Ｓｔｒｕｂｌｅ）、ジョエル・Ｃ・マーシュ（Ｊｏｅｌ  Ｃ．Ｍａｒｓｈ）、およびダニエル・Ｊ・ペイク（Ｄａｎｉｅｌ  Ｊ．Ｐｅｉｃｋ）の名義の、「ＴＨＥＲＭＡＬ  ＰＲＯＣＥＳＳＩＮＧ  ＤＲＵＭ  ＨＡＶＩＮＧ  ＭＵＬＴＩＰＬＥ  ＨＥＡＴ  ＺＯＮＥＳ」と題する、２０１７年１２月２２日に仮出願された米国仮特許出願第６２／６０９，５１０号に対する優先権を主張する。同出願はその全体を本願に援用する。
【００１６】
本出願は、ケント・Ｒ・ストラブル（Ｋｅｎｔ  Ｒ．Ｓｔｒｕｂｌｅ）、ジョエル・Ｃ・マーシュ（Ｊｏｅｌ  Ｃ．Ｍａｒｓｈ）、およびダニエル・Ｊ・ペイク（Ｄａｎｉｅｌ  Ｊ．Ｐｅｉｃｋ）の名義の、「ＴＨＥＲＭＡＬ  ＰＲＯＣＥＳＳＩＮＧ  ＤＲＵＭ  ＨＡＶＩＮＧ  ＭＵＬＴＩＰＬＥ  ＬＡＭＰＳ」と題する、２０１８年３月１４日に仮出願された米国仮特許出願第６２／６４３，０７０号に対する優先権を主張する。同出願はその全体を本願に援用する。
【００１７】
以下は、図面を参照した、好ましい諸実施形態の詳細な説明である。図面において、同じ参照符号は、いくつかの図の各々における構造の同じ要素を識別する。
【００１８】
本明細書において使用するとき、用語「通電可能（ｅｎｅｒｇｉｚａｂｌｅ）」は、電力を受電した時に、および、任意選択的に、許可信号を受信した時に、指示された機能を遂行するデバイス、または構成要素のセットに関する。
【００１９】
用語「作動可能（ａｃｔｕａｂｌｅ）」はその通常の意味を有し、例えば、電気信号に応じてなど、刺激に応じてアクションを実施する能力を有するデバイスまたは構成要素に関する。
【００２０】
ブランケットヒータが知られている。ブランケットヒータは、シリコーンゴムおよびエッチングされた金属層の複数の層で構成されている。熱を生成するために、電流が、エッチングされた金属層を通して流される。ブランケットヒータは信頼性が高く、より多くの熱をいくつかのエリア内に印加するように構成することができる。ブランケットヒータは、独自の温度センサおよび加熱要素を各々有する、１つ以上の別個の区域を有し得る。
【００２１】
ランプヒータが知られている。ランプからの赤外エネルギーは、熱として完全に吸収されるまでにドラムの内部のあちこちで複数回反射し、熱エネルギーをドラム全体にわたって効果的に拡散させる。
【００２２】
技術者らは、熱を内部ドラム表面上に選択的に印加する難しさのゆえに、ランプヒータを複数区域のドラムのために用いることができなかった。ランプからの赤外エネルギーは、熱として完全に吸収されるまでにドラムの内部のあちこちで複数回反射し、熱エネルギーをドラム全体にわたって効果的に拡散させる。
【００２３】
いくつかのドラムは、熱を均一に発生することに重点を置いているが、本開示は、ドラムの表面の温度が均一となるドラムを対象とする。これは、均一な吸収をもたらすためにエネルギーを複数回反射すること（例えば、高反射率）によって達成される。ドラム内の反射仕切りがエネルギーを閉じ込め、媒体搬送および印刷の最中におけるドラム表面温度の制御性の増大をもたらすことを助ける。
【００２４】
本開示の処理ドラムはドラム内において複数のランプヒータを用いる。各ランプヒータのガラス管は、軸方向に沿って、ドラムの全長にわたることができ、ドラムは加熱区域の配列を有する。各ランプヒータの中に、フィラメントの活性部分が存在する。各ガラス管内の活性フィラメントは、左端、中心、右端、の３つの区域のうちのいずれか１つに対応することができる。この配列において、第１のランプヒータは、活性左側区域を加熱するために役割を果たすことができる。第２のヒータは活性中心区域を有することができる。第３のランプヒータは活性右端区域を提供することができる。
【００２５】
フィラメントの活性部分が各加熱区域に物理的に近接していることは、所望の場所におけるエネルギーの送達を助けるが、発生された赤外エネルギーの大部分が、活性フィラメントの位置に対応するドラムのエリア内にとどまることを促進する／確実にするために、反射仕切りがドラム内に追加される。
【００２６】
本開示は、複数のランプヒータを備えるドラムを記載する。各ランプヒータはガラス管内に封入されている。各ガラス管はドラム軸の方向に延びており、活性ヒータフィラメントは、加熱されることになる区域内において延びている。ドラム回転軸に対して直交して広がった円形表面を有する、板、概して平坦な板の形態の、反射仕切りまたは内部パネルが、熱エネルギーの大部分をドラムの対応する区域内に包含することを助けるために設けられている。
【００２７】
本開示の文脈において、用語「ランプヒータ」、「ヒータランプ」、または単に「ランプ」もしくは「ヒータ」は、別途記載のない限り、互換的に用いることができる。
【００２８】
本開示の文脈において、用語「円筒（ｃｙｌｉｎｄｅｒ）」または「円筒形の（ｃｙｌｉｎｄｒｉｃａｌ）」は、印刷および媒体搬送のための回転可能加熱ドラムの全体形状を記述する。通例、ドラムは、平行平面に沿って広がった円形基部を有し、基部と垂直な中心軸を有する、直円柱のよく知られた形状のものである。ドラム円筒は、代替的に、非円形であることができ、円形でない閉じた形状を有する基部を有する。中心軸はドラムの回転軸と概ね一致する。
【００２９】
図１〜図１８は第１の構成に関し、ドラム表面が取り外された状態の、ドラム１０の内部部分を示す。
【００３０】
図１を参照すると、円筒形ドラム１０の内部構成要素が示されている。ドラム１０の外面は、ヒータ構成要素の可視性を可能にするために取り外されている。本開示のドラム１０は複数のランプをヒータとして用い、ヒータランプは、ランプヒータを提供し、ドラム回転軸Ａと平行に、ドラム１０の実質的に全長に及ぶガラス管１４の形態である。ランプ加熱フィラメントがドラム１０の表面から離間配置されたこの構成は、ランプ配線をドラム表面に対する放射熱エリアから遠ざけておくことを助ける。熱エネルギーを提供する各ガラス管１４内のフィラメントの活性部分は特定の加熱区域に専用のものである。ドラム１０は、軸Ａと垂直な平面に沿って各々広がった２つの端板１２の間の内部コア４０を有する。１つ以上の反射仕切り２０、および端板１２の反射内面が、別個の加熱区域を画定し、放射エネルギーを適切な加熱区域に拘束する板面を提供する。仕切り２０は回転軸Ａに対して直交して広がっており、ドラム表面（図１には示されていない）に向かって外方に広がっている。
【００３１】
図２Ａおよび図２Ｂは、図１のドラムに用いるのに適した機構内の反射仕切り２０を示す。本開示の一実施形態によれば、単一のランプ管１４は、３つの加熱区域の各々に専用のものであることができ、１つは区域３０ａ用、１つは区域３０ｂ用、１つは区域３０ｃ用である。各加熱区域３０ａ、３０ｂ、３０ｃは温度センサを有することができることがさらに認識される。仕切り２０は、例えば、ドラムの全長にわたるねじ棒１６によって所定位置に構成または保持され得る（図１）。
【００３２】
図３および図４を参照すると、３区域ランプヒータのために、３つのセンサ３２が用いられる。全ての３つのセンサ３２は同じ種類のものであることも、または異なる種類のものであることもできる。センサ３２は電気接続のための極性を有してもよく、または有しなくてもよい。１つの構成では、全てのセンサワイヤ３４を、ドラム１０の内部コア４０を通して配線し、端板１２を通り抜けさせることができ、ワイヤ３４は、図４において端板１２が取り外された状態で示されるように配線している。
【００３３】
図５は端板１２の反射内面を示す。図５に示されるように、ランプ管１４は、回転軸Ａに対して、中心をはずして装着することができる。出願人らは、セラミックバルブ端部は、アルミニウムテープで包むこと、あるいは何らかの他の種類の熱遮断またはヒートシンクデバイスを設けることなどによって、過熱を防止するように加工することができることに留意する。図６〜図８は、端板１２上に形成された熱シールド６０の他の図、構成、および態様を提供する。
【００３４】
図６は、ワイヤのための切り欠きおよび凹部を有する、ドラムの外部から見た、端板１２の一実施形態を示す。センサ３２はサーモスタットであることができる。ランプまたは管１４は、ランプヒータのためのドラム寸法に適合するようにサイズ設定されている。
【００３５】
図７は、ランプ端部のための凹部７０、ならびにサーモスタットもしくは他のセンサを装着するためのねじ穴７２、および支持ロッド１６のためのねじ穴７２を有する、端板１２の反対側の内面を示す。
【００３６】
図８は、支持ロッド１６のためのバカ穴および支持ばね８０を有する端板１２の内面を示す。ランプワイヤは共通帰線のための端子に接続されていてもよい。
【００３７】
図９は、駆動側端板１２と熱シールド９０および仕切り２０との組み立てを示す。図１０は非駆動側仕切り２０の組み立てを示す。かくして、ランプ組立体が構築され、次に、ドラムコア４０内に滑り込ませられる。非駆動熱シールドが取り付けられ、ねじ棒１６が固定される。
【００３８】
本開示は、３つのランプヒータを有するドラムを示しているが、別の／異なる数の、例えば、２つ、４つ、またはそれを超える、ランプヒータを用いることもできる。
【００３９】
上述されたように、出願人らは、処理ドラム１０を加熱する／温めるために、ランプを、発生された赤外エネルギーを誘導し、コア４０内にむらなく／均一に包含するための支援反射仕切りとともに用いている。異なる種類の加熱ランプを用いることもできる。図１１〜図１８に示される諸実施形態は、中心区域の長さにわたる管形ランプヒータ１１０を用い、また、各端部区域内のハロゲン充填ランプなどの、少なくとも１つの端部ランプヒータ１１２も用いる。各端部区域内の１つまたは複数のランプヒータ１１２は、中心区域内のランプヒータ１１０に追加するものである。ランプヒータ１１２は、図示のように、フィラメント支持体１１４、および電力ワイヤ１１６の機構を有することができる。
【００４０】
ランプヒータ１１０がドラム１０の全長にわたる場合には、少なくとも１つのランプヒータ１１２を各端部区域３０内で用いることもできることに留意されたい。好ましい構成では、端部区域３０ａ内のランプヒータ１１２は、中央区域３０ｂ内のランプまたはランプヒータ１１２よりも小さいものであることができる。一実施形態では、全ての配線は隠蔽され、赤外エネルギーから保護されている。１３０Ｖを定格とする端部区域のためのランプヒータ１１２が好適であることが見いだされている。一実施形態では、出願人らは、各端部区域３０ａ、３０ｃ内で直列の３つのランプヒータ１１２を用いる。この構成では、イメージャが２４０Ｖに接続されたときには、各ランプ１１２は８０Ｖで動作させられる。出願人らは、ランプヒータ１１２を端部区域ランプとして、低減された電圧で駆動することは、各ランプヒータ１１２の寿命を延ばすとともに、放射される出力を赤外範囲の方へ移動させることを認識した。
【００４１】
ランプが故障せず、および／またはランプのガラスが薄黒くならないことが好ましい。図１１は例示的な端部区域ランプヒータ１１２を示す。図１２は、ドラムの端部区域３０のエリア内の複数の端部区域ランプヒータ１１２の配置を示す。図１３は、ソケット１３２内に装着された端部区域ランプヒータ１１２を示す。図示のように、反射器がソケットの周りに装着されている。図１４は、所定位置にリベットで留めることができるソケット１３２を使用するダイカスト端板１２として示される、装着のための１つの構成を示す。図１５はセンサとしてのサーモスタット１５０の装着を示す。各端板１２において１つのサーモスタット１５０を装着することができる。図１６〜図１７は、ベースワイヤ１６０上で支持されたランプヒータ１１２を示す。
【００４２】
図１８は、各端部区域内に配置された複数のランプ１１２を有するドラム１０の、３区域、２４０Ｖの実施形態を示す。単一のランプヒータ１１０がドラム１０の全長にわたっている。
【００４３】
図１９〜図３８は、２つのランプがヒータとして用いられるさらなる構成をより具体的に説明する。
【００４４】
出願人らは、ドラム処理装置を熱的媒体搬送および処理のために用いるときには、ドラム１０の端部および中央部分は異なる特有の熱的挙動を有し得ることを認めた。例えば、ドラム１０の端部区分／部分は、通例、アイドリング局面（すなわち、処理が実際に行われていない時の、非利用局面）の最中には、ドラム１０の中央区分／部分と比べて、より急速に熱を失う。より具体的には、アイドル（非印刷）の間にはドラムの外端部がドラムの中心よりも容易に熱を失うが、印刷時にはドラムの中心がフィルムへより速く熱を取られる。
【００４５】
それゆえ、出願人らは、この挙動の相違を補償するシステムの恩恵を認識した。出願人らのシステムでは、より多くの熱がアイドリング局面の最中にドラム１０の外端部において印加され／利用可能であり、これにより、処理が開始される／起動される際に、均一な熱がドラムの全長にわたってより急速に／容易に取得可能である／得られる。
【００４６】
出願人らは、加熱機能を遂行し、熱プロファイルの可変変化を補償するために、２つのランプヒータを用いることができ、これは、変化する熱的条件を補償し、プリンタ／イメージャが印刷しているのか否かに依存して、より多量またはより少量の熱を必要とするドラムの部分にわたって、熱を選択的に印加する能力を可能にすることを認識した。
【００４７】
図１９は、ドラムコア内の熱源のための２ランプヒータ構成／設計を示す。一方のランプヒータ１９２は２つの外端部部分の各々の内部の縁部フィラメント１９４ａ、１９４ｂを含み、その一方で、他方のランプヒータ１９０は中心フィラメント１９６を含む。図１９に示されるように、一方または両方の端部部分の縁部フィラメント１９４ａ、１９４ｂは中心フィラメント１９６の部分に重なることができる。図１９は、フィラメントのこの関係が生じる２つの重なり領域１９８を標示している。側面図から、回転軸に対して、ドラムの中心および縁部のためのフィラメントは一定量の重なりを有することができる。
【００４８】
１つの構成では、この重なり領域１９８は長さが４０ｍｍ〜６０ｍｍであることができ、およそ４８ｍｍの重なり長さが好ましいものであり得る。
【００４９】
図示のように、重なり領域１９８は、縁部フィラメント１９４ａ、１９４ｂの領域と中心フィラメント１９６の領域との重なりのエリアが存在する場所である。
【００５０】
２つのランプヒータ１９０、１９２の各々は、好ましくは、独立して通電可能または動作可能である。縁部フィラメント１９４ａ、１９４ｂ（すなわち、左および右端部区域）を有するランプヒータ１９２に関して、縁部フィラメント１９４ａ、１９４ｂまたは区域は一緒に連動させられる／動作させられるが、それにもかかわらず、ドラムの中心区域を加熱するための中心フィラメント１９６を有するランプヒータ１９０とは独立して動作することができる。
【００５１】
図２０は、重なり領域のうちの一方内に配置された仕切り２０を示す、図１９の構成の部分を示す。図２０の例では、仕切り２０が存在する平面は両方のフィラメント１９６および１９４ａと交差する。図示のように、仕切り２０は、ドラム軸Ａと直交する平面Ｐに沿って広がる、平坦な／平面状の円形／ディスクとして形状設定されている。仕切り２０は、中心フィラメント１９６を有するランプヒータ１９０および縁部フィラメントを有するランプヒータ１９２が貫通することを可能にする複数の開口部２００または孔を有する。好ましい構成では、仕切り２０は、熱伝導性を有してもよく、または有しなくてもよい、金属または他の好適な不燃性材料で形成されている。例えば、１つの構成では、仕切り２０は、熱をそのそれぞれの加熱区域３０ａ、３０ｂ、または３０ｃ内に保持するために、熱シールドの役割を果たす。
【００５２】
図２１は、仕切り２０に取り付けられており、軸方向において外方に延びたスリーブ要素または部分２１０を示す。スリーブ要素２１０は、フィラメント（単数または複数）（中心または縁部）を有するランプが貫いて延びた開口部２１２を含む。スリーブ要素２１０は、支持金具、配線、またはランプヒータ１９２およびフィラメントをそれに取り付ける／支持するための（当業者に知られた）他の手段を代替的に含むことができる。
【００５３】
スリーブ要素２１０は、仕切り２０の表面から、ドラムの中心に向かう、またはそこから遠ざかる方向に突出している／延びている。好ましい機構では、延びたスリーブ部分２１０は、先細り状であり、円錐形状（円錐形（ｃｏｎｉｃａｌ）、円錐形状（ｃｏｎｅ  ｓｈａｐｅｄ））または円筒形状である（すなわち、一定の半径を有する）か、あるいは円錐形または円筒形セグメントを有する。図２１および以下において示されるように、スリーブ部分２１０は主として円錐形であり、頂部が切断された先細り状表面を有する。代替的に記述すると、スリーブ部分または要素２１０は、各端部において頂部を切断された円錐または先細り状の漏斗形状を有することができる。
【００５４】
出願人らは、この幾何および位置構成を有するスリーブ２１０の使用は、ランプヒータを支持することができ、各々のそれぞれの区域内における熱の保持を促進することができ、重なり領域の付近の／に隣接したエリア内における熱のよりゆるやかな放散を促進することができることを認識した。
【００５５】
一実施形態では、仕切り２０および円錐形スリーブ部分２１０は、良好な熱伝導をもたらすアルミニウムで構成されている。当業者は、例えば、ニッケルめっき（耐久性のある反射性の表面を促進する）を含み得る、他の好適な材料および処理を認識するであろう。このようなめっきは、スリーブ部分２１０およびそれらの対応する仕切り２０の赤外エネルギー吸収能力を抑制し得る。
【００５６】
仕切り２０およびそのスリーブ要素２１０は、ドラム製作物の一部として組み立てられる別個の構成要素であることができるか、あるいは、例えば、金属鋳造として形成されるなど、一体の構成要素として構成され得る。同様に、スリーブ２１０の部分は別個の構成要素であり得るか、または一体の構成要素として構成され得る。
【００５７】
１つの（一体の）構成要素／部分として構成されている場合には、円錐形スリーブ部分２１０中に吸収された熱は仕切り２０の残りの部分へより容易に伝導され得、円錐形スリーブ部分２１０によって吸収される熱を抑制する。スリーブ２１０および仕切り２０が別個の構成要素として製作されている場合には、それらの連結した熱伝導は同じほど好ましくならない場合がある。他方で、別個の構成要素として形成されている場合には、スリーブ２１０および部分２０は異なる材料から形成することができ、熱隔離、および熱応答の相違の恩恵を受けることができる。異なる材料の使用は、場合によっては、特に、チタンなどのより高価な金属が使用され得る場合に、コストを低減するために有益になり得る。
【００５８】
図２２の側面図は、仕切り２０に各々結合されており、重なり領域１９８に／その付近に／その内部に配置された、２つのスリーブ要素２１０を有する、加熱のための２ランプ構成を示す。図示のように、２つのスリーブ要素２１０の各々は中心区域３０ｂから遠ざかるように延びており、反対の端板１２（図２２には示されていない）に向かって延ばされている。図示のように、スリーブ部分２１０は円錐形であり、テーパはドラム１０の外側部分に沿って端板１２の方へ向けられている。スリーブ部分２１０のうちの少なくとも一方は、図１９に関して上述されたように、第１のフィラメントと中心フィラメントとが回転軸に対して重なり合う重なり領域１９８内に配置されるか、またはその内部へ延ばされ得る。
【００５９】
図２３は、仕切り２０に各々結合されており、重なり領域１９８に／その付近に／その内部に配置された、２つのスリーブ要素２１０を有する、加熱のための２ランプヒータ構成の側面図を示す。図示のように、２つのスリーブ要素２１０の各々は中心区域３０ｂ内へ延びており、ドラム１０の中心に向かって延びている。この場合も先と同様に、スリーブ部分２１０は円錐形であるが、テーパはドラムの中心の方へ向けられている。
【００６０】
スリーブ要素２１０の数、場所、および位置の他の構成／変形を用いることもできるであろう。例えば、重なり領域に／その付近に／その内部に配置された仕切り２０に結合された単一のスリーブ要素２１０であって、スリーブ要素／部分２１０が円錐形であり、外面上に配置されており、テーパがランプの端部に面している、スリーブ要素２１０を設けることができる。別の例：重なり領域に／その付近に／その内部に配置された仕切りに結合された単一のスリーブ要素２１０であって、スリーブ要素２１０が先細り状であり、内面上に配置されており、テーパがドラムの中心の方に面している、スリーブ要素２１０。さらなる例：重なり領域に／その付近に／その内部に配置された１つの仕切り２０であって、それに取り付けられた２つのスリーブ要素２１０を有し、各スリーブ要素２１０が円錐形であり、一方のスリーブ要素２１０が内面上に配置されており、テーパがドラムの中心の方に面しており、他方の要素が外面上に配置されており、テーパが、ドラムの中心から遠ざかる方に面している、仕切り２０。
【００６１】
図２４は、重なり領域内に配置された一方の仕切り２０に取り付けられた２つのスリーブ要素２１０の等角図を示す。各スリーブ要素２１０は、円錐形部分であって、それを貫く開口部を有する、円錐形部分を含む。図示のように、ドラム軸に対して仕切り２０の各々の側に１つのスリーブ要素２１０が配置されている。一方のスリーブ要素２１０は仕切り２０の一方の表面上に配置されており、円錐形状がランプまたはドラム１０の中心の方に面しており、他方のスリーブ要素２１０は仕切り２０の他方の表面上に配置されており、先細り状端部が、ドラムの中心から遠ざかる方に面している。説明のための矢印が円錐形スリーブ要素２１０に向けられている。
【００６２】
図２５は図２４の側面図を示す。
【００６３】
図２６Ａ〜図２６Ｂは、２つの仕切り２０であって、仕切り２０の各々が重なり領域内に配置されており、それに取り付けられたスリーブ要素２１０の対を各々含む、２つの仕切り２０を用いるさらなる例を示す。各スリーブ要素２１０は円錐形であり、各対の一方のスリーブ要素２１０は内面上に配置されており、テーパがドラムの中心の方に面しており、他方の要素は外面上に配置されており、テーパが、ドラムの中心から遠ざかる方に面している。図２６Ｂは、端板１２内における図２６Ａの２つのランプヒータ１９０、１９２を示す。
【００６４】
図２７および図２８は図２６の例を例示的な一実施形態におけるいくつかの好適な寸法情報とともに示す。
【００６５】
図２９は図２６Ａの例と同様のさらなる例を示すが、ドラムの中心の方に面した２つの円錐形スリーブ要素２１０は重なり領域１９８内に配置されていない。むしろ、図示のように、仕切り２０は、これらの２つの円錐形スリーブ要素２１０が２つの縁部フィラメント領域の中間の領域（すなわち、重なり領域の中間にある領域）内に配置されるように配置されている。
【００６６】
図３０は図２９の例をいくつかの好適な寸法情報とともに示す。
【００６７】
図３１は図２６の例と同様のさらなる例を示すが、ランプヒータ１９０に関連付けられた２つの円錐形スリーブ要素２１０は、ドラムの中心から遠ざかる方に面し、重なり領域内に配置されていない。むしろ、図示のように、仕切り２０は、これらの２つの円錐形スリーブ要素２１０が重なり領域の外側に配置され、これにより、縁部フィラメント領域内にのみあるように配置されている。
【００６８】
図３２は図３１の例をいくつかの好適な寸法情報とともに示す。
【００６９】
図３３〜図３６は、この場合も先と同様に、外部被覆面が取り外された状態の、ドラム１０内の仕切り２０および／またはランプ器具／組立体の様々な電気的および機械的装着ならびに構成要素を示す。仕切り２０は、スリーブ要素２１０を有するものまたは有しないものを用いることができることに留意される（単一または双対の円錐スリーブ要素２１０を有するよう変更される仕切り）。好ましい構成では、仕切り２０は、加熱面または内壁からではなく、ドラム１０の端板１２から支持されている。出願人らは、仕切り２０が媒体／フィルム接触エリア内のドラムの内壁と接触することを可能にすることは、不均質な加熱に起因するアーチファクトをもたらし得ることを認識した。それゆえ、出願人らは、例えば、図３６に示されるように、端板１２からの支持棒３３０を採用した。
【００７０】
図３７〜図３８は、２つのランプ仕切り／要素／部分の様々な構成が用いられた、ドラム上で処理された１０枚のフィルム／媒体のためのクロスウェブ密度のいくつかの実験結果を示す。ｘ軸は媒体の長さ（すなわち、クロスウェブの位置）を、インチ寸法の単位を用いて表す。ｙ軸は媒体のクロスウェブ密度を表す。
【００７１】
長いランプヒータ１１０のためには、内部フィラメントのための複数の構成が可能である。一実施形態によれば、ランプヒータ１１０は複数のフィラメントセグメントを有し、セグメントは個々に通電され得る。代替的に、ランプヒータ１１０の管材の一部分のみがフィラメントを有する。
【００７２】
出願人らのシステムは、熱画像形成装置が、印刷処理サイクル全体にわたって制御された熱的挙動をもたらすことを可能にする。図３９の概略図は、本開示の一実施形態に係るランプヒータ１９０、１９２の通電サイクルを制御する熱制御論理プロセッサ１８０の機能を示す。３つの加熱区域３０ａ、３０ｂ、および３０ｃが示されている。熱制御論理プロセッサ１８０は別個の専用制御プロセッサであることができるか、またはその機能を熱画像形成システム全体のためのシステム制御論理によって実行させてもよい。いずれの場合にも、制御論理プロセッサ１８０は、ドラム１０の温度を制御するための命令のために画像形成システム論理と信号通信する。
【００７３】
引き続き図３９を参照すると、図示のように、加熱区域ごとに１つのセンサ３２を用いるなど、センサ３２によって、ドラム１０の温度が各区域３０ａ、３０ｂ、３０ｃ内で監視される。センサ３２のフィードバック、および任意選択的に、システム論理からの制御信号に基づいて、制御論理プロセッサ１８０は、対応する区域のための加熱ランプ１９０、１９２のうちの１つ以上におけるフィラメントに選択的に通電する。加熱ランプ１９０の場合には、中央加熱区域３０ｂ内のフィラメントの区分または部分のみが通電される。ランプ１９０、１９２は、フィラメントの１つ以上の使用されないセグメントを有し得るか、あるいは、任意選択的に、ガラス管の一部分にわたってのみフィラメントを有し得る。
【００７４】
したがって、出願人らは、現像温度を有する画像形成媒体内の画像を熱現像するためのドラムであって、２つのランプヒータであって、各ヒータがドラムの軸に沿った方向に位置付けられており、一方のヒータが中心フィラメントを含み、他方のヒータが２つの端部／区域フィラメントを含む、２つのランプヒータと、ドラムの軸と実質的に垂直に、ドラムの軸に沿って配置された第１の仕切りであって、第１の仕切りが、ドラムの軸に沿った第１の方向に延びた第１の円錐形部分を含む、第１の仕切りと、を備えることを特徴とするドラムを説明した。
【００７５】
１つの構成では、第１の仕切りおよび第１の円錐形部分は第１の開口部を含み、これにより、１つのヒータがそれを貫いて配置されている。
【００７６】
１つの構成では、第１の仕切りは、第１の方向と反対の、ドラムの軸に沿った第２の方向に延びた第２の円錐形部分をさらに含む。
【００７７】
１つの構成では、第１の仕切りは、中心フィラメントと端部フィラメントのうちの１つとの重なり領域内に配置されている。
【００７８】
１つの構成では、ドラムは、第１の仕切りから離間されてドラムの軸に沿って配置された第２の仕切りをさらに備え、第２の仕切りは、第１の方向と反対の、ドラムの軸に沿った第２の方向に延びた第１の円錐形部分を含む。
【００７９】
なおさらなる機構では、第１の仕切りは、ドラムの軸に沿った第２の方向に延びた第２の円錐形部分を含み、第２の仕切りは、ドラムの軸に沿った第１の方向に延びた第２の円錐形部分を含む。
【００８０】
１つの構成では、第１の仕切りは中心フィラメントと端部フィラメントのうちの一方との重なり領域内に配置されており、第２の仕切りは中心フィラメントと端部フィラメントのうちの他方との重なり領域内に配置されている。
【００８１】
出願人らは、現像温度を有する画像形成媒体内の画像を熱現像するためのドラムであって、２つのランプヒータであって、各ヒータがドラムの軸に沿った方向に位置付けられており、一方のヒータが中心フィラメントを含み、他方のヒータが２つの端部／区域フィラメントを含む、２つのランプヒータと、ドラムの軸と実質的に垂直に、ドラムの軸に沿って配置された第１の仕切りであって、第１の仕切りが、ドラムの軸に沿った第１の方向に延びた第１の円錐形部分を含む、第１の仕切りと、ドラムの軸と実質的に垂直に、ドラムの軸に沿って配置された第２の仕切りであって、第１の仕切りが、ドラムの軸に沿った第１の方向に延びた第２の円錐形部分を含む、第２の仕切りと、を備えることを特徴とするドラムを説明した。
【００８２】
出願人らは、以上において説明されたとおりのドラムを備える、現像温度を有する画像形成媒体内の画像を熱現像するための熱処理装置であって、画像形成媒体を輸送経路に沿って移動させ、第１の温度における画像形成媒体を受け取り、画像形成媒体を第１の温度よりも高い第２の温度に加熱するように構成されていることを特徴とする、熱処理装置を説明した。
【００８３】
出願人らは、現像温度を有する画像形成媒体内の画像を熱現像するためのドラムであって、ドラムの第１および第２の端部区域内に配置された第１のランプヒータと、ドラムの中心区域内に配置された第２のランプであって、中心区域が第１の端部区域と第２の端部区域の中間に位置し、２つのランプの各々が、ドラムの軸に沿った方向に位置付けられている、第２のランプと、ドラムの軸に沿って配置されており、第１の端部区域と中心区域との間の移行領域に、またはその内部に位置付けられた第１の仕切りであって、第１の仕切りが、ドラムの軸に沿った第１の方向に延びた円錐形部分を含む、第１の仕切りと、ドラムの軸に沿って配置されており、第２の端部区域と中心区域との間の移行領域に、またはその内部に位置付けられた第２の仕切りであって、第２の仕切りが、第１の方向と反対の、ドラムの軸に沿った第２の方向に延びた円錐形部分を含む、第２の仕切りと、を備えることを特徴とするドラムを説明した。
【００８４】
１つの構成では、第１の仕切りは、ドラムの軸に沿った第２の方向に延びた別の円錐形部分を含み、第２の仕切りは、ドラムの軸に沿った第１の方向に延びた別の円錐形部分を含む。
【００８５】
したがって、出願人らは、現像温度を有する画像形成媒体内の画像を熱現像するためのドラムであって、ランプヒータの配列であって、各ヒータが、ドラムの回転軸と平行な方向に延びるように位置付けられている、ランプヒータの配列を備える、ドラムを説明した。加熱ドラムは、仕切り構造を用いて、または用いずに、２つ以上の加熱区域に仕切ることができる。
【００８６】
出願人らは、以上において説明されたドラムを備える、現像温度を有する画像形成媒体内の画像を熱現像するための熱処理装置であって、画像形成媒体を輸送経路に沿って移動させ、第１の温度における画像形成媒体を受け取り、画像形成媒体を第１の温度よりも高い第２の温度に加熱するように構成されていることを特徴とする、熱処理装置を説明した。
【００８７】
本開示において説明されるドラムは、米国特許第９１９５１８５号（ストラブル（Ｓｔｒｕｂｌｅ））および米国特許第７３１７４６８号（ストラブル（Ｓｔｒｕｂｌｅ））に記載されているものなどの、画像形成材料を熱処理するための装置および方法において／とともに使用するために適している。これらの特許はどちらもそれらの全体を本願に援用する。
【００８８】
コンピュータプログラム製品は、１つ以上の非一時的記憶媒体、例えば、磁気ディスク（フロッピーディスクなど）または磁気テープなどの磁気記憶媒体、光ディスク、光テープ、または機械可読バーコードなどの光記憶媒体、ランダムアクセスメモリ（ｒａｎｄｏｍ  ａｃｃｅｓｓ  ｍｅｍｏｒｙ、ＲＡＭ）、またはリードオンリーメモリ（ｒｅａｄ−ｏｎｌｙ  ｍｅｍｏｒｙ、ＲＯＭ）などの固体電子記憶デバイス、あるいは１つ以上のコンピュータを、本発明に係る方法を実施するよう制御するための命令を有するコンピュータプログラムを記憶するために用いられる任意の他の物理デバイスまたは媒体を含み得る。
【００８９】
上述された方法はフローチャートを参照して記述され得る。フローチャートを参照して方法を記述することは、当業者が、コンピュータ可読媒体からの命令を実行する、好適なコンピュータ上で方法を実施するためのこのような命令を含む、このようなプログラム、ファームウェア、またはハードウェアを開発することを可能にする。同様に、サービスコンピュータプログラム、ファームウェア、またはハードウェアによって遂行される方法はまた、コンピュータ実行可能命令で構成される。
【００９０】
本明細書において、用語「ａ」または「ａｎ」は、特許文献において一般的であるように、「少なくとも１つ（ａｔ  ｌｅａｓｔ  ｏｎｅ）」または「１つ以上（ｏｎｅ  ｏｒ  ｍｏｒｅ）」の任意の他の例または語法とは独立して、１つ（ｏｎｅ）、または１つを超える（ｍｏｒｅ  ｔｈａｎ  ｏｎｅ）を含むように用いられる。本明細書において、用語「または（ｏｒ）」は、非排他的なまたは（ｏｒ）に言及するために用いられる。そのため、「ＡまたはＢ（Ａ  ｏｒ  Ｂ）」は、別途指示されない限り、「ＡであるがＢでない（Ａ  ｂｕｔ  ｎｏｔ  Ｂ）」、「ＢであるがＡでない（Ｂ  ｂｕｔ  ｎｏｔ  Ａ）」、および「ＡかつＢ（Ａ  ａｎｄ  Ｂ）」を含む。本明細書において、用語「〜を含む（ｉｎｃｌｕｄｉｎｇ）」および「ｉｎ  ｗｈｉｃｈ」は、それぞれの用語「〜を備える（ｃｏｍｐｒｉｓｉｎｇ）」および「ｗｈｅｒｅｉｎ」の平易な英語の同義語として用いられる。また、添付の請求項において、用語「〜を含む（ｉｎｃｌｕｄｉｎｇ）」および「〜を備える（ｃｏｍｐｒｉｓｉｎｇ）」はオープンエンドなものである。すなわち、請求項においてこのような用語の後に列挙されているもののほかにも要素を含むシステム、デバイス、物品、またはプロセスも依然として、その請求項の範囲内に含まれると見なされる。
【００９１】
添付の請求項において、用語「第１の」、「第２の」、および「第３の」、および同様のものは単に標識として用いられているにすぎず、それらの対象に数値的要求を課すことを意図されているわけではない。
【００９２】
本発明は、目下好ましい実施形態を具体的に参照して詳細に説明されたが、本発明の趣旨および範囲内で変形および変更が実施されることが可能であることが理解されるであろう。したがって、本開示の実施形態は、全ての点において、例示として考慮されるべきであり、限定として考慮されるべきではない。本発明の範囲は添付の請求項によって指示されており、その同等物の意味および範囲に含まれる全ての変更がそれに包含されることが意図される。
【図１】
2021508916.tif 000003
【図２Ａ】
2021508916.tif 000004
【図２Ｂ】
2021508916.tif 000005
【図３】
2021508916.tif 000006
【図４】
2021508916.tif 000007
【図５】
2021508916.tif 000008
【図６】
2021508916.tif 000009
【図７】
2021508916.tif 000010
【図８】
2021508916.tif 000011
【図９】
2021508916.tif 000012
【図１０】
2021508916.tif 000013
【図１１】
2021508916.tif 000014
【図１２】
2021508916.tif 000015
【図１３】
2021508916.tif 000016
【図１４】
2021508916.tif 000017
【図１５】
2021508916.tif 000018
【図１６】
2021508916.tif 000019
【図１７】
2021508916.tif 000020
【図１８】
2021508916.tif 000021
【図１９】
2021508916.tif 000022
【図２０】
2021508916.tif 000023
【図２１】
2021508916.tif 000024
【図２２】
2021508916.tif 000025
【図２３】
2021508916.tif 000026
【図２４】
2021508916.tif 000027
【図２５】
2021508916.tif 000028
【図２６Ａ】
2021508916.tif 000029
【図２６Ｂ】
2021508916.tif 000030
【図２７】
2021508916.tif 000031
【図２８】
2021508916.tif 000032
【図２９】
2021508916.tif 000033
【図３０】
2021508916.tif 000034
【図３１】
2021508916.tif 000035
【図３２】
2021508916.tif 000036
【図３３】
2021508916.tif 000037
【図３４】
2021508916.tif 000038
【図３５】
2021508916.tif 000039
【図３６】
2021508916.tif 000040
【図３７】
2021508916.tif 000041
【図３８】
2021508916.tif 000042
【図３９】
2021508916.tif 000043
【国際調査報告】
2021508916.tif 000044
2021508916.tif 000045